【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
組込み型処理モジュールと、ネットワーク接続モジュールと、端末接続モジュールとを備える、無線インターネットアクセスを提供するホットスポット装置であって、
前記組込み型処理モジュールが、前記ネットワーク接続モジュールとインターネットの間のネットワーク接続を制御し、前記ネットワーク接続モジュールと前記端末接続モジュールの間の通信を制御するように構成され、
前記端末接続モジュールが、局(STA)チップと、第１のアンテナとを備え、
前記STAチップが、特定のエリア内でインターネットの無線信号到達範囲を実現するために、前記組込み型処理モジュールによって前記ネットワーク接続モジュールを介してインターネットから取得されたデータ情報を前記組込み型処理モジュールから受信し、前記データ情報を処理し、前記第１のアンテナを介して前記特定のエリア内で前記処理されたデータ情報を送信するように構成され、
前記STAチップが、前記第１のアンテナを介して前記無線信号到達範囲のエリア内で１つまたは複数の無線ローカルエリアネットワーク(WLAN)機器によって送信された無線信号の形式のデータ情報を受信し、前記データ情報を処理し、前記データ情報を前記組込み型処理モジュールおよび前記ネットワーク接続モジュールを介してインターネットに送信するために前記データ情報を前記組込み型処理モジュールに出力するようにさらに構成されるホットスポット装置。
【請求項２】
少なくとも２つのWLAN機器が前記端末接続モジュールに接続され、前記組込み型処理モジュールが、前記WLAN機器間の通信を実現するために、前記端末接続モジュールを制御して前記WLAN機器間でデータを送信するようにさらに構成される請求項１に記載のホットスポット装置。
【請求項３】
前記ネットワーク接続モジュールが、無線ネットワーク接続モジュールおよび/または有線ネットワーク接続モジュールを備え、
前記無線ネットワーク接続モジュールが、無線信号を介してインターネット基地局と通信するように構成され、前記インターネット基地局を介してインターネットに接続され、
前記有線ネットワーク接続モジュールが、ブロードバンドケーブルまたは電話回線を介してインターネットに接続するように構成される請求項１に記載のホットスポット装置。
【請求項４】
前記無線ネットワーク接続モジュールが、無線チップと第２のアンテナとを備え、
前記第２のアンテナが、前記無線信号の形式のデータ情報を送信または受信することによって前記インターネット基地局と通信するように構成され、
前記無線チップが、前記組込み型処理モジュールから前記データ情報を受信し、前記データ情報を処理し、前記第２のアンテナを介して前記インターネット基地局に前記処理されたデータ情報を送信し、前記第２のアンテナを介して前記インターネット基地局によって送信された前記無線信号の形式のデータ情報を受信し、前記データ情報を処理し、前記処理されたデータ情報を前記組込み型処理モジュールに出力するように構成される請求項３に記載のホットスポット装置。
【請求項５】
ソフトアクセスポイント(ソフトAP)ソフトウェアプログラムを格納するように構成された記憶モジュールをさらに備え、前記組込み型処理モジュールが、前記記憶モジュール内の前記ソフトAPソフトウェアプログラムを前記STAチップにロードし、前記ソフトAPソフトウェアプログラムによって前記STAチップを駆動するようにさらに構成される請求項１に記載のホットスポット装置。
【請求項６】
前記記憶モジュールがマルチチップパッケージ(MCP)チップである請求項５に記載のホットスポット装置。
【請求項７】
前記組込み型処理モジュールが、無線データ転送モジュールと、ルーティングモジュールと、共有メモリモジュールとを備え、
前記共有メモリモジュールが、前記無線データ転送モジュールと前記ルーティングモジュールの間で交信されるデータを格納するように構成され、
前記無線データ転送モジュールが、前記共有メモリモジュールを介して無線接続モジュール内の無線チップと前記ルーティングモジュールの間でデータ転送経路を確立するように構成され、
前記ルーティングモジュールが、前記STAチップと通信し、前記共有メモリモジュールを介して前記無線チップと通信するように構成される請求項１に記載のホットスポット装置。
【請求項８】
前記共有メモリモジュールが、仮想デュアルポートランダムアクセスメモリ(RAM)型の共有メモリである請求項７に記載のホットスポット装置。
【請求項９】
前記ルーティングモジュールと前記STAチップが、セキュアデジタル入出力(SDIO)インタフェースを介して互いに通信する請求項７に記載のホットスポット装置。
【請求項１０】
前記ルーティングモジュールが、低レベルドライバモジュールと、インタフェースプロトコル(IP)モジュールと、ネットワークアドレス変換(NAT)モジュールと、ルートモジュールと、転送制御プロトコル(TCP)/ユーザデータグラムプロトコル(UDP)モジュールと、ダイアルアップモジュールと、共有メモリデータ送信モジュールとを備え、
前記低レベルドライバモジュールが、前記IPモジュールと前記STAチップの間でデータを送信するために物理インタフェースを駆動するように構成され、
前記IPモジュールが、前記低レベルドライバモジュールを介して前記STAチップからデータを受信し、前記データをIPパッケージの形式にカプセル化し、前記IPパッケージを前記ルートモジュールに送信し、前記ルートモジュールから前記IPパッケージの形式のデータを取得し、前記IPパッケージの形式を前記低レベルドライバモジュールによって識別可能な形式に変換し、該形式のデータを、前記低レベルドライバモジュールを介して前記STAチップに送信するように構成され、
前記NATモジュールが、前記WLAN機器のアドレスとインターネットのアドレスの間の変換を実行するように構成され、
前記ルートモジュールが、前記IPモジュールから受信した前記IPパッケージの形式のデータのルーティング構造による前記IPパッケージの形式のデータのアドレスと、前記NATモジュールによって割り当てられたアドレスとを照合し、前記データを転送するように構成され、
前記TCP/UDPモジュールが、前記STAチップと通信するWLAN機器が必要とするデータを識別し、前記NATモジュールと協働して前記WLAN機器に対応するデータ伝送アドレスを識別するように構成され、
前記ダイアルアップモジュールが、前記ルートモジュールと前記インターネット基地局の間のデータ伝送路をダイアルアップ方式で確立するように構成され、
前記共有メモリデータ送信モジュールが、前記共有メモリモジュールを介して前記無線データ転送モジュールに前記データ情報を送信し、前記共有メモリモジュールを介して前記無線データ転送モジュールから前記データ情報を読み出し、前記ルートモジュールに前記データ情報を入力するように構成される請求項７に記載のホットスポット装置。
【請求項１１】
前記共有メモリデータ送信モジュールが、共有メモリデータ経路モジュールと、制御モジュールと、診断モジュールとを備え、
前記共有メモリデータ経路モジュールが、前記共有メモリモジュールと前記ルートモジュールの間で前記データを送信するように構成され、
前記制御モジュールが、前記共有メモリデータ経路モジュール上でデータ伝送路を確立し維持するように構成され、
前記診断モジュールが、前記共有メモリモジュールから前記無線データ転送モジュールに関する情報を受信し、前記無線データ転送モジュールが正常に働くかどうかテストし、ユニバーサルシリアルバス(USB)モジュールを介して外部情報処理装置にテスト結果を送信するように構成される請求項１０に記載のホットスポット装置。
【請求項１２】
USBモジュールをさらに備え、前記USBモジュールが、プラグ差込みにより外部情報処理装置に電気的に接続され、前記ルーティングモジュールが、前記USBモジュールを介して前記外部情報処理装置と通信するようにさらに構成される請求項７に記載のホットスポット装置。
【請求項１３】
電源を管理する電源管理モジュールをさらに備え、前記電源が充電可能バッテリであり、前記電源管理モジュールが、前記電源を制御して、前記無線ネットワーク接続モジュール、前記組込み型処理モジュールおよび前記端末接続モジュールに適した電圧および/または電流の電気エネルギーを供給するように構成され、
前記電源管理モジュールが、前記USBモジュールを制御して、前記外部情報処理装置から電気エネルギーを取得し、前記電源を充電するようにさらに構成される請求項１２に記載のホットスポット装置。